(57)【要約】【課題】  中継基板を取り付けるためのセルガイドのフックの長さが短く、取り付け時にフック部分の破損が発生していた。【解決手段】  上記セルガイド２４の帯板片２４ａは、上記リアフレーム２１の屈曲辺２１ａを挟み込んで係止するにあたり、同屈曲辺２１ａの内側に配置される内側壁２４ａ２と、同屈曲辺２１ａの外側に配置される外側壁２４ａ３とで、同屈曲辺２１ａを挟むように形成され、同外側壁２４ａ３には上記リアフレーム２１の内側に向けて上記中継基板２６ｂを固定するための突起状のフック２４ａ１を形成しており、フック２４ａ１は屈曲辺２１ａよりも外側に位置する外側壁２４ａ３から延出されているので従来よりも長く形成することができ、バネ性が増し、中継基板２６ｂに係止する際に過大な力がかかっても撓み、破損しにくくなっている。【選択図】  図６
2011154186.tif 000002
【特許請求の範囲】
【請求項１】
概略矩形の金属製の薄皿状であって、四辺の縁部を略直角に同一方向に向けて折り返された屈曲辺を有するリアフレームと、
同リアフレームの枠内に収まる大きさとされつつ、同リアフレームにて支持され、光反射性を有する反射板と、
この反射板における上記リアフレームと反対の面の側に支持される蛍光管と、
同蛍光管における上記反射板と反対の側にて上記リアフレームと同等の面を被覆し、光拡散性を有する拡散シートと、
帯板片を上記リアフレームの各屈曲辺に係止して枠体を形成するにあたり、長手方向の一辺にて上記リアフレームの各屈曲辺を挟み込みつつ係止するセルガイドと、
パネルと中継基板とから構成され、同パネルを上記セルガイドにて周縁から囲まれるように支持されつつ、同中継基板は同セルガイドに係止して固定される液晶パネルと、
上記セルガイドにおける上記リアフレームとは反対の側の面から覆うように係止する枠体を構成し、上記液晶パネルのパネルをその表示面の側から保持するベゼルとからなる液晶モジュールであって、
上記セルガイドの帯板片は、上記リアフレームの屈曲辺を挟み込んで係止するにあたり、同屈曲辺の内側に配置される内側壁と、同屈曲辺の外側に配置される外側壁とで、同屈曲辺を挟むように形成され、同外側壁には上記リアフレームの内側に向けて上記中継基板を固定するための突起状のフックを形成していることを特徴とする液晶モジュール。
【請求項２】
上記内側壁と外側壁は、上記リアフレームの屈曲辺で囲まれる内面側から見て、互い違いとなるように、互いに重なり合わないよう形成されていることを特徴とする請求項１に記載の液晶モジュール。
【請求項３】
上記セルガイドの帯板片は、上記内側壁と外側壁を形成するにあたり、肉盗みによって外側壁を内側壁よりも外方にオフセットし、かつ、肉盗みにおける上記リアフレームの屈曲辺の側を開放することで上記内側壁と外側壁とが互い違いとなって互いに重なり合わないように形成していることを特徴とする請求項２に記載の液晶モジュール。
【請求項４】
上記内側壁と外側壁は、同内側壁の一部を外側に向けて断面コの字状に屈曲するように形成されつつ、コの字状として外側に位置する壁面が上記外側壁を形成しており、上記リアフレームの屈曲辺を挟み込む端部側において同外側壁以外のコの字状の壁面を除去した形状とすることで同屈曲辺を挟持可能としていることを特徴とする請求項２または請求項３に記載の液晶モジュール。
【請求項５】
上記フックは略円柱状に形成され、先端側から根元側に向けて二分割するように切り込みが形成され、先端部分では、先端から根元側に向けて徐々に径が大きくなった後、段差を形成するように径を小さくした係止段部を形成し、この係止段部が上記内側壁よりも内側に突き出ていることを特徴とする請求項１〜請求項４のいずれかに記載の液晶モジュール。
【請求項６】
概略矩形の金属製の薄皿状であって、四辺の縁部を略直角に同一方向に向けて折り返された屈曲辺を有するリアフレームと、
同リアフレームの枠内に収まる大きさとされつつ、同リアフレームにて支持され、光反射性を有する反射板と、
この反射板における上記リアフレームと反対の面の側に支持される蛍光管と、
同蛍光管における上記反射板と反対の側にて上記リアフレームと同等の面を被覆し、光拡散性を有する拡散シートと、
帯板片を上記リアフレームの各屈曲辺に係止して枠体を形成するにあたり、長手方向の一辺にて上記リアフレームの各屈曲辺を挟み込みつつ係止するセルガイドと、
パネルと中継基板とから構成され、同パネルを上記セルガイドにて周縁から囲まれるように支持されつつ、同中継基板は同セルガイドに係止して固定される液晶パネルと、
上記セルガイドにおける上記リアフレームとは反対の側の面から覆うように係止する枠体を構成し、上記液晶パネルのパネルをその表示面の側から保持するベゼルとからなる液晶モジュールであって、
上記セルガイドの帯板片は、上記リアフレームの屈曲辺を挟み込んで係止するにあたり、同屈曲辺の内側に配置される内側壁と、同屈曲辺の外側に配置される外側壁とで、同屈曲辺を挟むように形成され、同外側壁には上記リアフレームの内側に向けて上記中継基板を固定するための突起状のフックを形成しており、かつ、
上記セルガイドの帯板片は、上記内側壁と外側壁を形成するにあたり、肉盗みによって外側壁を内側壁よりも外方にオフセットし、かつ、肉盗みにおける上記リアフレームの屈曲辺の側を開放することで上記内側壁と外側壁とが互い違いとなって互いに重なり合わないような形状とすることで同屈曲辺を挟持可能としており、
上記フックは略円柱状に形成され、先端側から根元側に向けて二分割するように切り込みが形成され、先端部分では、先端から根元側に向けて徐々に径が大きくなった後、段差を形成するように径を小さくした係止段部を形成し、この係止段部が上記内側壁よりも内側に突き出ている液晶モジュール。
【請求項７】
テレビ回路と液晶モジュールとからなる液晶テレビジョンであって、
上記テレビ回路は、
テレビ放送を受信するチューナと、
同チューナによる受信信号に基づいて映像信号と音声信号を出力するテレビ処理回路と、
上記映像信号に基づいて画像処理する画像処理回路と、
上記音声信号に基づいて音声を出力する音声回路とを具備し、
上記液晶モジュールは、
概略矩形の金属製の薄皿状であって、四辺の縁部を略直角に同一方向に向けて折り返された屈曲辺を有するリアフレームと、
同リアフレームの枠内に収まる大きさとされつつ、同リアフレームにて支持され、光反射性を有する反射板と、
この反射板における上記リアフレームと反対の面の側に支持される蛍光管と、
同蛍光管における上記反射板と反対の側にて上記リアフレームと同等の面を被覆し、光拡散性を有する拡散シートと、
帯板片を上記リアフレームの各屈曲辺に係止して枠体を形成するにあたり、長手方向の一辺にて上記リアフレームの各屈曲辺を挟み込みつつ係止するセルガイドと、
パネルと中継基板とから構成され、同パネルを上記セルガイドにて周縁から囲まれるように支持されつつ、同中継基板は同セルガイドに係止して固定される液晶パネルと、
上記セルガイドにおける上記リアフレームとは反対の側の面から覆うように係止する枠体を構成し、上記液晶パネルのパネルをその表示面の側から保持するベゼルとからなり、かつ、
上記セルガイドの帯板片は、上記リアフレームの屈曲辺を挟み込んで係止するにあたり、同屈曲辺の内側に配置される内側壁と、同屈曲辺の外側に配置される外側壁とで、同屈曲辺を挟むように形成され、同外側壁には上記リアフレームの内側に向けて上記中継基板を固定するための突起状のフックを形成していることを特徴とする液晶テレビジョン。
【発明の詳細な説明】
【技術分野】
【０００１】
本発明は、液晶モジュール、および同液晶モジュールを使用した液晶テレビジョンに関し、特に、セルガイドのフックを（部材の一部または一部材）を液晶パネルの中継基板（他の部材）の穴に挿入することによって支持する液晶モジュール、および同液晶モジュールを使用した液晶テレビジョンに関する。
【背景技術】
【０００２】
液晶モジュールでは、液晶パネルの中継基板をセルガイドに対して係止爪などで固定している。このような係止爪の構造として以下のものが知られている。
特許文献１は、停止爪片の長さ寸法をできる限り小さくする技術を開示し、特に、図４、００２９には、凹溝部が係止爪片の幅方向及び厚さ方向に取り囲んでいる。
特許文献２は、追加取付が容易なＴ溝への取付具の技術を開示し、特に、図１，図３には、弾性片を長めに取った係合爪が記載されている。
【０００３】
特許文献３は、液晶表示装置の組み立て工程を簡略化する技術を開示し、特に、図１には、切り欠き部に係合爪を配置している。
【先行技術文献】
【特許文献】
【０００４】
【特許文献１】特開２００８−１４９５０４号公報
【特許文献２】特許２８１６４５７号公報
【特許文献３】特開平９−２１８３９４号公報
【発明の概要】
【発明が解決しようとする課題】
【０００５】
中継基板を取り付けるためのフックがセルガイドに形成されている。しかし、フックの長さが短く、取り付け時にフック部分の破損が発生していた。
特許文献１は、凹溝部が係止爪片の幅方向及び厚さ方向に取り囲んでおり、係止爪片の長さは僅かに長くはなるが、溝の深さ程度に過ぎず、あくまでも停止爪片の長さ寸法をできる限り小さくするだけであって、破損の防止にはならない。
【０００６】
特許文献２は、弾性片を長めに取った係合爪が記載されているものの、セルガイドに適用できるものではない。
特許文献３は、切り欠き部に係合爪を配置しているものの、切り欠き部は対向位置にある凸部と噛み合うためのものであり、セルガイドに適用できるものではない。
本発明は、中継基板を固定するセルガイドのフックの破損数を削減することを目的とする。
【課題を解決するための手段】
【０００７】
上記課題を解決するため、本発明は、概略矩形の金属製の薄皿状であって、四辺の縁部を略直角に同一方向に向けて折り返された屈曲辺を有するリアフレームと、同リアフレームの枠内に収まる大きさとされつつ、同リアフレームにて支持され、光反射性を有する反射板と、この反射板における上記リアフレームと反対の面の側に支持される蛍光管と、同蛍光管における上記反射板と反対の側にて上記リアフレームと同等の面を被覆し、光拡散性を有する拡散シートと、帯板片を上記リアフレームの各屈曲辺に係止して枠体を形成するにあたり、長手方向の一辺にて上記リアフレームの各屈曲辺を挟み込みつつ係止するセルガイドと、パネルと中継基板とから構成され、同パネルを上記セルガイドにて周縁から囲まれるように支持されつつ、同中継基板は同セルガイドに係止して固定される液晶パネルと、上記セルガイドにおける上記リアフレームとは反対の側の面から覆うように係止する枠体を構成し、上記液晶パネルのパネルをその表示面の側から保持するベゼルとからなる液晶モジュールであって、上記セルガイドの帯板片は、上記リアフレームの屈曲辺を挟み込んで係止するにあたり、同屈曲辺の内側に配置される内側壁と、同屈曲辺の外側に配置される外側壁とで、同屈曲辺を挟むように形成され、同外側壁には上記リアフレームの内側に向けて上記中継基板を固定するための突起状のフックを形成した構成としてある。
【０００８】
上記構成において、上記リアフレームの屈曲辺を挟み込んで係止する上記セルガイドの帯板片は、屈曲辺の内側に配置される内側壁と、同屈曲辺の外側に配置される外側壁とを有しているが、同外側壁には上記リアフレームの内側に向けて上記中継基板を固定するための突起状のフックを形成してある。
従って、フックは少なくともリアフレームの屈曲辺よりも外側の位置から内側に向かって延びているので、内側壁に形成されている場合よりも十分に長い。長くなればそれ自体の弾性が増すので、中継基板に係止する作業中に過大な力がかかれば撓み、破損しにくい。
【０００９】
また、上記内側壁と外側壁は、上記リアフレームの屈曲辺で囲まれる内面側から見て、互い違いとなるように、互いに重なり合わないよう形成してもよい。
上記内側壁と外側壁は、リアフレームの屈曲辺で囲まれる内面側から見て、互い違いとなっており、互いに重なり合っていないので、外側壁からリアフレームの内側に向けて突出するフックは内側壁には干渉しない。従って、金型による成形も容易となる。
【００１０】
さらに、上記セルガイドの帯板片は、上記内側壁と外側壁を形成するにあたり、肉盗みによって外側壁を内側壁よりも外方にオフセットし、かつ、肉盗みにおける上記リアフレームの屈曲辺の側を開放することで上記内側壁と外側壁とが互い違いとなって互いに重なり合わないように形成してもよい。
上記セルガイドの帯板片で内側壁と外側壁を形成するにあたって、肉盗みによって外側壁を内側壁よりも外方にオフセットすることが可能である。そして、このようにオフセットした状態で、肉盗みにおける上記リアフレームの屈曲辺の側を開放すると、外側壁の根元と内側壁の根元はオフセットした状態で、内側壁と外側壁のそれぞれの先端側は互い違いとなって互いに重なり合わない。
【００１１】
また、上記内側壁と外側壁は、同内側壁の一部を外側に向けて断面コの字状に屈曲するように形成されつつ、コの字状として外側に位置する壁面が上記外側壁を形成しており、上記リアフレームの屈曲辺を挟み込む端部側において同外側壁以外のコの字状の壁面を除去した形状とすることで同屈曲辺を挟持可能としてもよい。
内側壁の一部を外側に向けて断面コの字状に屈曲するように形成すると、断面はコの字状となり、外側に位置する壁面は外側壁としてオフセットした状態となる。そして、リアフレームの屈曲辺を挟み込む端部側において同外側壁以外のコの字状の壁面を除去すれば、内側壁と外側壁だけが平行した状態で残り、その間に上記屈曲辺を挟持可能となる。
【００１２】
さらに、フックは中継基板を係止できるものであればよいが、その一例として、上記フックは略円柱状に形成され、先端側から根元側に向けて二分割するように切り込みが形成され、先端部分では、先端から根元側に向けて徐々に径が大きくなった後、段差を形成するように径を小さくした係止段部を形成し、この係止段部が上記内側壁よりも内側に突き出るようにしてもよい。
【００１３】
フックは略円柱状に形成され、先端側から根元側に向けて二分割するように切り込みが形成される。その先端部分では、先端から根元側に向けて徐々に径が大きくなった後、段差を形成するように径を小さくした係止段部を形成しているので、中継基板の側に丸穴を形成し、同先端を挿入していくと、二分割した隙間の分だけ内側に撓み、徐々に挿入していって係止段部が丸穴を貫通したところで弾性によって外側に復帰する。このとき、段部により丸穴の縁に係止し、抜け止めとなる。むろん、全体として略円柱状に形成されて外側壁から延出していることから、従来よりも長めとなっており、弾性が向上しており、折れにくくなっている。
【００１４】
また、以上のような形状の統合として、概略矩形の金属製の薄皿状であって、四辺の縁部を略直角に同一方向に向けて折り返された屈曲辺を有するリアフレームと、同リアフレームの枠内に収まる大きさとされつつ、同リアフレームにて支持され、光反射性を有する反射板と、この反射板における上記リアフレームと反対の面の側に支持される蛍光管と、同蛍光管における上記反射板と反対の側にて上記リアフレームと同等の面を被覆し、光拡散性を有する拡散シートと、帯板片を上記リアフレームの各屈曲辺に係止して枠体を形成するにあたり、長手方向の一辺にて上記リアフレームの各屈曲辺を挟み込みつつ係止するセルガイドと、パネルと中継基板とから構成され、同パネルを上記セルガイドにて周縁から囲まれるように支持されつつ、同中継基板は同セルガイドに係止して固定される液晶パネルと、上記セルガイドにおける上記リアフレームとは反対の側の面から覆うように係止する枠体を構成し、上記液晶パネルのパネルをその表示面の側から保持するベゼルとからなる液晶モジュールであって、
【００１５】
上記セルガイドの帯板片は、上記リアフレームの屈曲辺を挟み込んで係止するにあたり、同屈曲辺の内側に配置される内側壁と、同屈曲辺の外側に配置される外側壁とで、同屈曲辺を挟むように形成され、同外側壁には上記リアフレームの内側に向けて上記中継基板を固定するための突起状のフックを形成しており、かつ、
上記セルガイドの帯板片は、上記内側壁と外側壁を形成するにあたり、肉盗みによって外側壁を内側壁よりも外方にオフセットし、かつ、肉盗みにおける上記リアフレームの屈曲辺の側を開放することで上記内側壁と外側壁とが互い違いとなって互いに重なり合わないような形状とすることで同屈曲辺を挟持可能としており、
【００１６】
上記フックは略円柱状に形成され、先端側から根元側に向けて二分割するように切り込みが形成され、先端部分では、先端から根元側に向けて徐々に径が大きくなった後、段差を形成するように径を小さくした係止段部を形成し、この係止段部が上記内側壁よりも内側に突き出るように構成しても良い。
さらに、このような液晶モジュールの適用例として、テレビ回路と液晶モジュールとからなる液晶テレビジョンであって、
【００１７】
上記テレビ回路は、テレビ放送を受信するチューナと、同チューナによる受信信号に基づいて映像信号と音声信号を出力するテレビ処理回路と、上記映像信号に基づいて画像処理する画像処理回路と、上記音声信号に基づいて音声を出力する音声回路とを具備し、
上記液晶モジュールは、概略矩形の金属製の薄皿状であって、四辺の縁部を略直角に同一方向に向けて折り返された屈曲辺を有するリアフレームと、同リアフレームの枠内に収まる大きさとされつつ、同リアフレームにて支持され、光反射性を有する反射板と、この反射板における上記リアフレームと反対の面の側に支持される蛍光管と、同蛍光管における上記反射板と反対の側にて上記リアフレームと同等の面を被覆し、光拡散性を有する拡散シートと、帯板片を上記リアフレームの各屈曲辺に係止して枠体を形成するにあたり、長手方向の一辺にて上記リアフレームの各屈曲辺を挟み込みつつ係止するセルガイドと、パネルと中継基板とから構成され、同パネルを上記セルガイドにて周縁から囲まれるように支持されつつ、同中継基板は同セルガイドに係止して固定される液晶パネルと、上記セルガイドにおける上記リアフレームとは反対の側の面から覆うように係止する枠体を構成し、上記液晶パネルのパネルをその表示面の側から保持するベゼルとからなり、かつ、上記セルガイドの帯板片は、上記リアフレームの屈曲辺を挟み込んで係止するにあたり、同屈曲辺の内側に配置される内側壁と、同屈曲辺の外側に配置される外側壁とで、同屈曲辺を挟むように形成され、同外側壁には上記リアフレームの内側に向けて上記中継基板を固定するための突起状のフックを形成した構成としても良い。
【発明の効果】
【００１８】
以上説明したように、本発明はフック部分を長くすることによりバネ性が向上し、中継基板を取り付ける際の破損数が削減され、歩留まりが改善される。また、従来技術においては、凹部にフックを設ける構成は記載されているものの、ヒケ防止のための肉盗み部にフックを設けるような構成とはなっていない。
この他、本発明によれば、比較的簡易な形成や金型構造を利用して同様の効果を奏する液晶モジュールや、同液晶モジュールを適用した液晶テレビジョンを提供することができる。
【図面の簡単な説明】
【００１９】
【図１】本発明の液晶モジュールが適用される液晶テレビジョンのブロック図である。
【図２】本発明の液晶モジュールの分解斜視図である。
【図３】セルガイドにおけるフック形成部分の斜視図である。
【図４】セルガイドにおけるフック形成部分の上面図である。
【図５】セルガイドにおけるフック形成部分の正面図である。
【図６】図５におけるＡ−Ａ線での断面図である。
【図７】従来のセルガイドにおけるフック形成部分の斜視図である。
【図８】従来のセルガイドにおける肉盗み部分の斜視図である。
【図９】従来のセルガイドにおける肉盗み部分の裏面側の斜視図である。
【発明を実施するための形態】
【００２０】
以下、図面にもとづいて本発明の実施形態を説明する。
図１は、本発明の一実施形態にかかる液晶モジュールが適用される液晶テレビジョンをブロック図により示している。
同図において、本液晶テレビジョンは、テレビ回路１０と、液晶モジュール２０とから構成されている。テレビ回路１０におけるチューナ１１は、アンテナ１２を介してテレビ放送を受信する。テレビ処理回路１３はチューナ１１に対して所定のチャンネルのテレビ放送を受信させるとともに、テレビ放送の受信信号から映像信号と音声信号とを出力する。また、その前提として操作パネル１４を介してユーザの操作を入力している。
【００２１】
映像信号は画像処理回路１５に出力され、同画像処理回路１５は液晶モジュール２０で映像を表示するための信号に変換して出力する。なお、液晶モジュール２０内には、後述するパネルユニットを形成するパネルと中継基板とバックライトユニットなどが備えられている。そして、画像処理回路１５の出力信号に基づいて中継基板がパネルの各画素を駆動して映像を形成すると、バックライトユニットが同パネルの背面から透過光を照射し、同パネルの表面に視認可能な映像を表示させる。
【００２２】
一方、音声信号は音声回路１６に出力され、操作パネル１４のボリューム調整操作に対応した音量となるように増幅され、スピーカ１７から音声として出力される。
図２は、本発明の液晶モジュール２０を分解斜視図により示している。
同液晶モジュール２０は、概略矩形の金属製の薄皿状であって、四辺の縁部を略直角に同一方向に向けて折り返された屈曲辺２１ａを有するリアフレーム２１を有している。このリアフレーム２１は、液晶モジュール２０における最も背面側の部材となる。このリアフレーム２１の前面側には、同リアフレーム２１の枠内に収まる大きさであって、光反射性を有する反射板２２が、当該リアフレーム２１にて支持されている。具体的には、反射板２２の前面側から押圧部材２２ａの突起にて同反射板２２を貫通させ、裏側のリアフレーム２１に係止させる。これにより、反射板２２は、貫通する突起にて位置決めされた状態で、押圧部材２２ａとリアフレーム２１との間に挟持されて支持されている。
【００２３】
この反射板２２の前面側であるリアフレーム２１と反対の面の側には蛍光管２３が保持される。この蛍光管２３はセルガイド２４にて両端を支持されて所定の間隔を隔てた位置に保持されている。
セルガイド２４は四つの帯板片２４ａにて枠体を形成するように構成されており、各帯板片２４ａは上記リアフレーム２１における各屈曲辺２１ａに係止している。より具体的には、帯板片２４ａはその長手方向の一辺にて上記リアフレーム２１の各屈曲辺２１ａを挟み込みつつ係止している。
【００２４】
また、セルガイド２４は、蛍光管２３における上記反射板２２と反対の側に光拡散性を有する拡散シート２５を支持する。この拡散シート２５は、上記リアフレーム２１と同等の面を被覆し、直線状の蛍光管２３から照射される透過光を当該液晶モジュール２０の表示面全面にわたって均等に拡散させるものである。
セルガイド２４は、拡散シート２５の前面側に液晶パネル２６を支持する。液晶パネル２６は、パネル２６ａと、中継基板２６ｂとから構成されており、同パネル２６ａは上記セルガイド２４にて周縁から囲まれるように支持され、同中継基板２６ｂは同セルガイド２４に係止して固定されている。中継基板２６ｂをセルガイド２４にて支持する方法については後述する。
【００２５】
最後、上記セルガイド２４の前面側、すなわち、上記リアフレーム２１とは反対の側の面にはベゼル２７が装着されている。ベゼル２７は四つの帯板片２７ａにて枠体を構成し、各帯板片２７ａがセルガイド２４の前面側を覆うようにして係止する。これにより、上記液晶パネル２６のパネル２６ａをその表示面の側の縁部を押さえて保持している。
【００２６】
セルガイド２４は中継基板２６ｂを係止するため、同中継基板２６ｂに形成される係止穴２６ｂ１を貫通して係止するフック２４ａ１を有している。
図３はセルガイドにおけるフック形成部分を斜視図により示しており、図４は同部分を上面図により示しており、図５は同部分を正面図により示しており、図６は同部分を断面図により示している。
【００２７】
上記セルガイド２４の帯板片２４ａは、上記リアフレーム２１の屈曲辺２１ａを挟み込んで係止するにあたり、同屈曲辺２１ａの内側に配置される内側壁２４ａ２と、同屈曲辺２１ａの外側に配置される外側壁２４ａ３とを有しており、これらの内側壁２４ａ２と外側壁２４ａ３とで上記屈曲辺２１ａを挟むように形成されている。そして、図３、図４、図６に示すように、同外側壁２４ａ３には上記リアフレーム２１の内側に向けて上記中継基板２６ｂを固定するための突起状のフック２４ａ１が形成されている。
【００２８】
ここで、図３、図５に示すように、上記内側壁２４ａ２と外側壁２４ａ３は、上記リアフレーム２１の屈曲辺２１ａで囲まれる内面側から見て、互い違いとなるように、互いに重なり合わないよう形成されている。
ここで、対比のために従来の液晶モジュールにおけるセルガイドについて説明する。
図７は、従来のセルガイドにおけるフック形成部分を斜視図により示しており、同図に示すように、フック１２４ａ１は、リアフレームの内側に向けて突出するように、内側壁１２４ａ２に形成されている。
【００２９】
図８は従来のセルガイドにおける肉盗み部分を斜視図により示しており、図９は同肉盗み部分の裏面側を斜視図により示している。肉盗みは樹脂成形における一つの技術であり、突出物を形成する際に裏面側に樹脂のヒケを生じさせないように予め裏面側に凹部を形成しておく技術である。この例では、図９に示すようにセルガイドの裏面側にはリブ１２４ａ６を形成する必要があり、このリブ１２４ａ６の裏面側にあたる位置に肉盗み１２４ａ７を形成している。
【００３０】
本実施形態においても、同様の理由で肉盗み２４ａ６が必要となっており、内側壁２４ａ２を基準とすると、リアフレームの外側方向に凹部を形成している。そして、この肉盗み２４ａ６を利用して外側壁２４ａ３を形成する。
すなわち、上記セルガイド２４の帯板片２４ａは、上記内側壁２４ａ２と外側壁２４ａ３を形成するにあたり、肉盗み２４ａ６によって外側壁２４ａ３を内側壁２４ａ２よりも外方にオフセットしている。また、肉盗み２４ａ６における上記リアフレーム２１の屈曲辺２１ａの側を開放し、そのまま外側壁２４ａ３を同屈曲辺２１ａの側に延出している。これにより、上記内側壁２４ａ２と外側壁２４ａ３とは互い違いとなり、互いに重なり合わないように形成されることになる。
【００３１】
言い換えると、上記内側壁２４ａ２と外側壁２４ａ３は、図６に示すように、同内側壁２４ａ２の一部を外側に向けて断面コの字状に屈曲するように形成することにより、コの字状として外側に位置する壁面が上記外側壁２４ａ３を形成する。そして、上記リアフレーム２１の屈曲辺２１ａを挟み込む端部側において同外側壁２４ａ３以外のコの字状の壁面を除去した形状とすることで同屈曲辺２１ａを挟持可能としている。
【００３２】
なお、屈曲辺２１ａを挟持するのは、内側壁２４ａ２と外側壁２４ａ３における先端側、すなわち屈曲辺２１ａに近い一部分だけである。
図６から明らかなように、フック２４ａ１は屈曲辺２１ａよりも外側に位置する外側壁２４ａ３から延出されており、図７に示す従来のフック１２４ａ１が内側壁１２４ａ２から延出されているのと相違する。そして、この相違により、フック２４ａ１は従来よりも長く形成することができる。長く形成することでバネ性が増すので、他の部材（中継基板２６ｂ）に係止する際には過大な力がかかったとしても撓むことができるようになり、破損しにくくなる。
【００３３】
ここで、上記フック２４ａ１は略円柱状に形成され、先端側から根元側に向けて二分割するように切り込み２４ａ１ａが形成されている。また、先端部分では、先端から根元側に向けて徐々に径が大きくなった後、段差を形成するように径を小さくした係止段部２４ａ１ｂを形成してある。そして、この係止段部２４ａ１ｂは上記内側壁２４ａ２よりも内側に突き出ている。
【００３４】
切り込み２４ａ１ａがあることによってその隙間の分だけフック２４ａ１は内側に撓むことが可能である。係止段部２４ａ１ｂの断面はいわゆるくさび形であり、最大径よりもやや小さめに形成した中継基板２６ｂの係止穴２６ｂ１に押し入れられると、フック２４ａ１は内側に撓みながら徐々に同係止穴２６ｂ１に入っていき、最大径部分が通過した時点で自身のバネ性によって外側に復帰する。すると、最大径部分が係止穴２６ｂ１の縁に係止し、簡単には抜けなくなって中継基板２６ｂを保持することができるようになる。
【００３５】
このように、上記セルガイド２４の帯板片２４ａは、上記リアフレーム２１の屈曲辺２１ａを挟み込んで係止するにあたり、同屈曲辺２１ａの内側に配置される内側壁２４ａ２と、同屈曲辺２１ａの外側に配置される外側壁２４ａ３とで、同屈曲辺２１ａを挟むように形成され、同外側壁２４ａ３には上記リアフレーム２１の内側に向けて上記中継基板２６ｂを固定するための突起状のフック２４ａ１を形成しており、図６から明らかなように、フック２４ａ１は屈曲辺２１ａよりも外側に位置する外側壁２４ａ３から延出されており、フック２４ａ１は従来よりも長く形成することができ、長く形成することでバネ性が増すので、他の部材（中継基板２６ｂ）に係止する際には過大な力がかかったとしても撓むことができるようになり、破損しにくくなっている。
【００３６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３７】
１０…テレビ回路、１１…チューナ、１２…アンテナ、１３…テレビ処理回路、１４…操作パネル、１５…画像処理回路、１６…音声回路、１７…スピーカ、２０…液晶モジュール、２１…リアフレーム、２１ａ…屈曲辺、２２…反射板、２２ａ…押圧部材、２３…蛍光管、２４…セルガイド、２４ａ…帯板片、２４ａ１…フック、２４ａ１ｂ…係止段部、２４ａ２…内側壁、２４ａ３…外側壁、２５…拡散シート、２６…液晶パネル、２６ａ…パネル、２６ｂ…中継基板、２６ｂ１…係止穴、２７…ベゼル、２７ａ…帯板片、１２４ａ１…フック、１２４ａ２…内側壁、１２４ａ６…リブ。
【図１】
2011154186.tif 000003
【図２】
2011154186.tif 000004
【図３】
2011154186.tif 000005
【図４】
2011154186.tif 000006
【図５】
2011154186.tif 000007
【図６】
2011154186.tif 000008
【図７】
2011154186.tif 000009
【図８】
2011154186.tif 000010
【図９】
2011154186.tif 000011